(57)【要約】      （修正有）【課題】患部の背に衣服を着たまま、自分で薄く皮膚外用剤を塗布する。また、その際に用いる器具の清掃を簡素化する。【解決手段】軟膏板２１の上で転がすことで皮膚外用剤を薄く伸ばして接着させたロールテープ４１を表面に貼付するローラーとロールテープが一部露出するように窓１３を設けたケース１０を支持棒３０に取り付け支持棒３０を持ち、ケース１０ごと背に運び、ローラーを転がして皮膚外用剤を自分で薄く塗布する。使用後は皮膚外用薬の付着した部分のローラーを剥がし取る。ローラーはケース１０から取り外し可能であり、ケース１０の窓１３には軟膏板２１を保持した蓋２０を取り付けることができる。【選択図】図１
2006288846.tif 000002
【特許請求の範囲】
【請求項１】
屈曲した柄の一端部には、表面に皮膚外用剤が吸着可能なロールテープを貼付するローラーを設け、前記ローラーと前記ロールテープは前記屈曲した柄に対して回転自在であり、かつ、前記屈曲した柄から着脱自在になっており、前記屈曲した柄の他端には、前記の屈曲した柄から着脱自在な支持棒を保持するようにそれぞれ形成した構成を特徴とする皮膚外用剤塗布補助器具。
【請求項２】
請求項１において、前記屈曲した柄は、窓を設けた断面略半円形状のケースを保持し、前記ケースは前記ロールテープが前記窓から一部露出するように形成した構成を特徴とする皮膚外用剤塗布補助器具。
【発明の詳細な説明】
【技術分野】
【０００１】
本発明は、自己の背に皮膚外用剤を薄く塗布することを容易にし、かつ、使用後の清掃を簡素化し、更に、衣服を着たままでの皮膚外用剤の塗布を容易にし、使用しないときは清潔に保管する皮膚外用剤塗布補助器具に関するものである。
【背景技術】
【０００２】
皮膚外用剤は、一般的に、軟膏壷またはチューブに収容されている。皮膚外用剤を自分の背に塗布する際には、軟膏壷またはチューブまたはケースから指に皮膚外用剤を取り出し、腕を背後に廻して、患部に指で皮膚外用剤を塗布する。しかし、自分の手に届く範囲にない場合には、前記方法では塗布できないため、他人に依頼しなければならず、一人で生活する人は不便に感じることがあった。
【０００３】
また、皮膚病の皮膚外用薬の多くには副腎皮質ステロイド剤が含有しているため、素手で塗布する場合は指先の皮膚に副腎皮質ホルモンを塗布することに等しく、素手から副腎皮質ホルモンが吸収されてしまい、近年、副作用発生の危険性が指摘されている。
【０００４】
また、医療現場では、患部に多量に厚く皮膚外用薬を塗布するよりも衣服に付着しない程度に薄く伸ばして塗布することを指導することが多い。
【０００５】
前記の問題を解決するために、ハンドルの首部から二股状に分岐した一対のアーム部にローラーを回転可能に支持したもの（例えば、特許文献１参照。）や、前記ローラーに制動機構を備えたもの（例えば、特許文献２参照。）が開示されている。
【０００６】
以上に述べた器具の問題点として、ローラーを転がして皮膚外用薬を塗布することで手の届かない患部へも自分で用意に薄く塗布できるようになったが、使用のたびにローラーを水洗いしなければならないもしくはローラーが使いきり品である点、衣服を着たまま使用するとローラーに付着した皮膚外用剤が衣服に付着しやすい点、ローラーが剥き出しのまま保管することになるのでローラーにごみや埃が付着し不潔になりやすい点がある。
【０００７】
また、支軸にシートを巻きつけたローラーを取り付けもの（例えば、特許文献３参照。）があるが、これはシートの表面に粘着剤が貼り付けてあり、シートは皮膚外用剤を保持することができない。
【特許文献１】特開２０００−３１６９８４号公報
【特許文献２】特開２００４−３２９７７２号公報
【特許文献３】実用新案登録番号  第３０１８４０７号
【発明の開示】
【発明が解決しようとする課題】
【０００８】
本発明は、前記の器具の問題点を解決しようというものであり、ローラーの清掃を簡素化し、ローラーを清潔に保管し、衣服を着たまま器具を使用してもローラーに付着した皮膚外用薬が衣服に付着しない皮膚外用薬塗布補助器具を実現することを目的とするものである。
【課題を解決するための手段】
【０００９】
前記課題を達成するため、本発明は、屈曲した柄の一端部には、表面にロールテープを貼付するローラーを設け、前記ローラーと前記ロールテープは前記屈曲した柄に対して回転自在であり、かつ、前記屈曲した柄から着脱自在になっており、前記屈曲した柄の他端には、前記の屈曲した柄から着脱自在な支持棒を保持するようにそれぞれ形成した構成を特徴とする皮膚外用剤塗布補助器具である。
【００１０】
更に、前記屈曲した柄は、窓を設けた断面略半円形状のケースを保持し、前記ケースは前記ロールテープが前記窓から一部露出するように形成した構成を特徴とする皮膚外用剤塗布補助器具である。
【発明の効果】
【００１１】
皮膚外用剤を薄く伸ばす道具として、ローラーではなくロールテープを用いたことによって、ローラーだと手間取る付着した皮膚外用剤を水洗いしてふき取る作業が、皮膚外用剤の付着した部分のロールテープを剥がし取るという作業に置き換えることができるので、簡単に付着した皮膚外用剤を取り除くことができる。
【発明を実施するための最良の形態】
【００１２】
図１は本発明の皮膚外用剤塗布補助器具に係る、第１実施例を示す分解斜視図、図３はその斜視図、図４はその断面図、図５はその拡大断面図である。本例の皮膚外用剤塗布補助器具は、屈曲した柄１１の一端部にはロールテープ４１を貼付するローラー４０および、ロールテープ４１が一部露出するように窓１３を設けたローラー４０を包囲するケース１０を保持し、ケース１０はローラー４０を出し入れできるように分割が可能となっており、ケース１０の内側対向面にはそれぞれローラー４０に両側から差し込む軸６２、６３と、前記軸６２、６３にはローラー４０の両側面に接着しローラー４０の位置を固定する押え６３、６４を設けている。更に、屈曲した柄１１の他端１８には屈曲した柄１１とは異なる取り外し可能で長さおよそ３０ｃｍ支持棒３０を保持し、ケースの窓１３をふさぐ蓋２０はケースをふさぐ側２３とは反対側に軟膏板２１を保持するようにそれぞれ形成した構成を特徴とする皮膚外用剤塗布補助器具である。
【００１３】
また、屈曲した柄１１と支持棒３０とは、屈曲した柄の端１８と支持棒の端３８とで接着可能になっており、接着方法としては図１に示すようなはめ込み式や図２に示すようなネジ式がある。また、ケース１０と蓋２０はケースの窓１３と蓋のケースをふさぐ側２３とで接着可能となっており、接着方法としてははめ込み式や突起とくぼみが互いにはまり合うようになっている構想がある。また、ロールテープは紙や天然繊維や化学繊維や不織布といった皮膚外用剤を保持することができて容易に切ることができるものの内側に皮膚外用剤を通さない接着剤を保持するものが適当であり、ローラーは紙または汎用な熱可塑性樹脂が適当である。また、その他の部位は汎用な熱可塑性樹脂が適当である。また支持棒は伸縮が可能な形にすることもできる。このときの支持棒の長さは、最短時でおよそ１０ｃｍ、最長時でおよそ３０ｃｍが適当である。
【００１４】
また、押えをローラーの両側面に接着させることでローラーの位置が固定でき、皮膚外用剤がケースの内側に付着しにくくなり、また、ローラーを転がしたとき、押えとローラーの間に摩擦が生じるので、ローラーの遊び廻りを軽減することができる。また、ローラーの内径と軸の外径を同じにすることでローラーの遊び廻りを更に軽減することができる。遊び廻りを軽減することで、力を入れないでローラーを転がすと患部に優しく皮膚外用剤を塗布することができ、力をいれてローラーを転がすと患部に皮膚外用剤をすり込むことができる。また、ケースにローラーを設置したときの大きさは幅およそ２ｃｍ〜およそ１０ｃｍで高さはおよそ２ｃｍ〜およそ１０ｃｍがよく、ローラーの幅はおよそ１ｃｍ〜およそ２ｃｍとおよそ２ｃｍ〜およそ１０ｃｍの少なくとも二種類設けることで、さまざまな範囲の患部に対応しやすくなる。
【００１５】
皮膚外用剤を背中の患部に塗布するには、まず、ケース１０から蓋２０をはずし、軟膏板２１を上にして蓋２０を置く。次に、軟膏板２１の上に必要量だけ皮膚外用剤を取り出し、支持棒３０を取り外し、屈曲した柄１１を持ってローラー４０を軟膏板の上で何回も転がすことで、ローラーに貼付してあるロールテープ４１に皮膚外用剤を万遍なく均一に付着させることができる。次に、皮膚外用剤を付着させたロールテープ４１を保持するローラー４０に支持棒３０を取り付けて持ち、衣服にロールテープ４１が接着しないようケースの背１２を衣服側にしてローラー４０を衣服の中に入れ、ケースの背１２で衣服を押し広げながら背中の患部までローラー４０を運び、支持棒操作によりローラー４０を上下或いは左右に動かし背中の患部で転がすことで皮膚外用剤を患部に薄く塗布することが可能となる。よって、衣服を着たままでも皮膚外用剤を薄く塗布することができる。またこのとき、手とローラー４０および屈曲した柄１１との間に支持棒３０が介在しているので、手の届かない背中の患部にも一人で容易にしかも薄く皮膚外用剤を塗布することが可能になる。更に、チューブに収容されている皮膚外用剤を使用するときは、手に触れないで皮膚外用剤を取り出すことが可能なので、本皮膚外用剤塗布補助器具における皮膚外用剤を患部に塗布する一連の作業において、皮膚外用剤に手をいっさい触れないで、患部に皮膚外用剤を薄く塗布することができる。
【００１６】
使用後は、皮膚外用剤の付着した部分のロールテープ４１を剥がし取り、軟膏板２１に付着した皮膚外用剤をティッシュペーパー等でふき取り、ケース１０に蓋２０をして保管する。従って、使用後の清掃はロールテープを剥がし取る作業と平面である軟膏板に付着した皮膚外用剤をふき取るという簡単なものである。また、使用後は蓋をして保管することで、ロールテープを貼付するローラーはケースと蓋によって包囲される状態にあるので、保管中にロールテープに埃やごみなどが付着する可能性がかなり低くなり、使用する場合は蓋をはずすだけですぐにローラーを使用することができる。
【００１７】
また、屈曲した柄１１と支持棒３０が取り外し可能な構成をとっているので、患部が広い範囲の場合には幅およそ２ｃｍ〜およそ１０ｃｍの広いローラー４０を保持するケース１０を支持棒３０に取り付け、患部が狭い範囲の場合には幅およそ1ｃｍ〜２ｃｍの狭いローラー４０を保持するケース１０を支持棒３０に取り付けるなど、患部の広さに合ったローラーを使用することで、軟膏剤を患部に塗布する効率を上げることができる。また、軟膏板の上でローラーを転がしてロールテープに薄く万遍なく皮膚外用剤を付着させる場合や容易に手の届く範囲の患部に本発明の補助器具を用いて皮膚外用剤を塗布する場合には、支持棒を取り外して屈曲した柄を持ってローラーを転がすことで、より正確かつ容易にローラーを操作することができる。更に、それぞれの幅のロールテープを貼付するローラーはそれぞれケースと蓋によって包囲される状態で保管することができ、ロールテープを清潔に保管することが可能となっている。
【００１８】
また、軟膏板２１を使わずに、皮膚外用剤を直接ロールテープ４１に取り出し、ロールテープを貼付するローラー４０を前記と同じ要領で患部まで運び転がすことで、患部で直接皮膚外用剤を塗り広げるという方法もある。この方法の利点は軟膏板の清掃が省ける点であり、欠点は軟膏板使用時と比較して患部に均一に薄く皮膚外用剤を塗布するのが難しい点である。このような方法を採用する場合、軟膏板を保持しない構成をとることもできる。
【００１９】
また、ロールテープ４１に予め一回分ごとにミシン目を入れておく構成をとったときには、皮膚外用剤塗布後に容易に皮膚外用剤の付着した一回分のロールテープ４１を剥がし取ることが可能となる。このとき、ミシン目がロールテープの接着部分を貫通しないように構成することによって、ロールテープが保持した皮膚外用剤がロールテープの内側に染み出さない。
【００２０】
次にロールテープを使い切った場合のローラーの交換について説明する。図５に示されるようにケース１０は主要部１４と離脱部１６に分割可能になっており、主要部１４の接着面１５と離脱部１６の接着面１７とで接着可能となっている。ローラー４０を取り替えるには、まずケース１０から離脱部１６をはずし、主要部１４と離脱部１６に分割する。すると主要部１４の離脱部との接着面１５側からローラーが容易に取り出せるようになるので取り出し、主要部の軸６１に新しいローラーを挿し設置する。最後に離脱部の軸６２を新しいローラーに挿して、離脱部１６を主要部１４に接着させる。よって、ケースや蓋や支持棒は継続して使うことができるので、経済的に負担が少なくて済み、また、ごみが減らせるので、環境にも配慮した構成になっている。主要部と離脱部の接着方法としては、図６ないしは図７に示すような突起とくぼみが互いにはまりあうようになっている構想や図８に示すような印籠の構想がある。
【００２１】
次に、本発明の前記以外の実施例について説明する。なお、以下の説明において、前記第１実施例と同一若しくは同等の構成部分については、必要に応じて同一符号を用いるものとし、説明を省略若しくは簡略にする。
【００２２】
図９は本発明の皮膚外用剤塗布補助器具に係る第２実施例を示す拡大断面図である。この実施例は、ケース内側対向面に軸ではなく軸受け穴７７、７８を設け、予め軸をローラーに両側から挿したものをケースに取り付ける形にしたところに特徴を有する。この場合、ケース内側対向面には軸ではなく軸受け穴７７、７８を設ける。軸はローラー挿し込み部分７１、７２とケース挿し込み部分７５、７６の間にローラーの位置を固定する押え７３、７４をそれぞれ形成した構成を特徴とする。
【００２３】
このとき、二つのローラー挿し込み部分７１、７２の長さの和をローラー４０の幅以下にすることで、押えがローラーの両側面に接着するように軸をローラーに挿し込むことができるようになり、ローラーの位置が固定できる。また、ケース挿し込み部分７５、７６の長さをそれぞれの軸受け穴７７、７８の深さより長くすることで、ロールテープに付着した皮膚外用剤がケース内側に付着しにくくなる。
【００２４】
またこの実施例においても、押えをローラーの両側面に接着させることでローラーの位置が固定でき、皮膚外用剤がケースの内側に付着しにくくなり、また、ローラーを転がしたとき、押えとローラーの間に摩擦が生じるので、ローラーの遊び廻りを軽減することができる。また、ローラーの内径と軸の外径を同じにすることでローラーの遊び廻りを更に軽減することができる。遊び廻りを軽減することで、力を入れないでローラーを転がすと患部に優しく皮膚外用剤を塗布することができ、力をいれてローラーを転がすと患部に皮膚外用剤をすり込むことができる。
【００２５】
更に、図１０に示すように両軸のケース挿し込み部分７５、７６を９０度屈曲可能にするか若しくは、軸の少なくとも一方の先端を伸縮自在にする場合、ケースを分割可能な構成にしなくとも、図１１に示すように軸を取り付けた新しいローラーが通り得るだけの扉を設け、扉を開けてローラーを交換することを可能とした構成や、ケースの窓１３に軸を取り付けた新しいローラーが通り得るだけの広さを設けて窓１３からローラーを交換することを可能とした構成をとることもできる。
【００２６】
図１２は本発明の皮膚外用剤塗布補助器具に係る第３実施例を示す分解斜視図であり、図１３はその一部拡大断面図である。この実施例は、ケースが屈曲した柄１１とはずれることで、ケースをはずした形で本発明の補助器具を使用できるところに特徴を有し、患部が衣服に被われていないときはケースを外して皮膚外用剤を塗布することができる。この実施例は、実施例１の屈曲した柄１１とケース１０とそれらが設けているものの代わりに、屈曲した柄１１から支持棒３０に接着する側とは反対側に延出した一対のアーム８１、８２とそれぞれのアームの先にローラーの両側面に接着する押え８３、８４を設け、更にその先にローラーの両側からローラーに差し込む軸８５、８６と、ローラーを包囲しローラーおよびアームから外すことが可能な分割可能なケースをそれぞれ形成した構成を特徴とする。
【００２７】
更に、ケースは窓を保持する部分５１と窓を保持しない部分５０に分解可能であり、分解するとローラー全体が露出する構成になっている。また、ケースの窓５３は蓋のケースに取り付ける側２３と接着可能であり、ケースの窓を保持する部分５１と窓を保持しない部分５０はそれぞれ５６と５５で接着可能となっている。これらの接着方法としてははめ込み式や突起とくぼみが互いにはまり合うようになっている構想がある。
【００２８】
ケースは図１４に示すようにローラーとアーム全体を包囲するものでも、図１５に示すようにローラーとアームの一部を包囲するものでもどちらの構成も採ることができる。アームに力を加えることで押し広げることが可能な構成にすることで、アームを押し広げることでローラーを取り出すことが可能となり、ロールテープを使い切ったときはローラーを新しいものに交換することができる。また、使用後はアームにローラーを設置した状態、若しくはアームからローラーを外した状態でケースと蓋を設置すれば、ロールテープをごみや埃が付着しにくい状態で保管することができる。
【００２９】
またこの実施例においても、押えをローラーの両側面に接着させることでローラーの位置が固定でき、皮膚外用剤がケースの内側に付着しにくくなり、また、ローラーを転がしたとき、押えとローラーの間に摩擦が生じるので、ローラーの遊び廻りを軽減することができる。また、ローラーの内径と軸の外径を同じにすることでローラーの遊び廻りを更に軽減することができる。遊び廻りを軽減することで、力を入れないでローラーを転がすと患部に優しく皮膚外用剤を塗布することができ、力をいれてローラーを転がすと患部に皮膚外用剤をすり込むことができる。
【図面の簡単な説明】
【００３０】
【図１】本発明の皮膚外用剤塗布補助器具に係る第１実施例を示す分解斜視図。
【図２】屈曲した柄と支持棒の結合の異なる実施例。
【図３】第１実施例を示す斜視図。
【図４】第１実施例を示す断面図。
【図５】第１実施例を示す拡大断面図。
【図６】ローラーの着脱を示す実施例。
【図７】ローラーの異なる着脱を示す実施例。
【図８】ローラーのさらに異なる着脱を示す実施例。
【図９】本発明の皮膚外用剤塗布補助器具に係る第２実施例を示す拡大断面図。
【図１０】ローラーを取り外す操作を示す断面図。
【図１１】ケースの異なる開閉構造を示す実施例。
【図１２】本発明の皮膚外用剤塗布補助器具に係る第３実施例を示す分解斜視図。
【図１３】第３実施例を示す一部拡大断面図。
【図１４】屈曲した柄の異なる実施例。
【図１５】屈曲した柄のさらに異なる実施例。
【符号の説明】
【００３１】
１０  ケース
１１  屈曲した柄
１３  窓
２０  蓋
２１  軟膏板
３０  支持棒
４０  ローラー
４１  ロールテープ
【図１】
2006288846.tif 000003
【図２】
2006288846.tif 000004
【図３】
2006288846.tif 000005
【図４】
2006288846.tif 000006
【図５】
2006288846.tif 000007
【図６】
2006288846.tif 000008
【図７】
2006288846.tif 000009
【図８】
2006288846.tif 000010
【図９】
2006288846.tif 000011
【図１０】
2006288846.tif 000012
【図１１】
2006288846.tif 000013
【図１２】
2006288846.tif 000014
【図１３】
2006288846.tif 000015
【図１４】
2006288846.tif 000016
【図１５】
2006288846.tif 000017
【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
屈曲した柄の一端部には、表面に皮膚外用剤が吸着可能で、かつ、剥がし取ることが可能なロールテープを貼付するローラーを設け、前記ローラーと前記ロールテープは前記屈曲した柄に対して回転自在であり、かつ、前記屈曲した柄から着脱自在になっており、前記屈曲した柄の他端には、前記の屈曲した柄から着脱自在な支持棒を保持するようにそれぞれ形成した構成を特徴とする皮膚外用剤塗布補助器具。
【請求項２】
請求項１において、前記屈曲した柄は、窓を設けた断面略半円形状のケースを保持し、前記ケースは前記ロールテープが前記窓から一部露出するように形成した構成を特徴とする皮膚外用剤塗布補助器具。
【手続補正２】
【補正対象書類名】明細書
【補正対象項目名】０００９
【補正方法】変更
【補正の内容】
【０００９】
前記課題を達成するため、本発明は、屈曲した柄の一端部には、表面に皮膚外用剤が吸着可能で、かつ、剥がし取ることが可能なロールテープを貼付するローラーを設け、前記ローラーと前記ロールテープは前記屈曲した柄に対して回転自在であり、かつ、前記屈曲した柄から着脱自在になっており、前記屈曲した柄の他端には、前記の屈曲した柄から着脱自在な支持棒を保持するようにそれぞれ形成した構成を特徴とする皮膚外用剤塗布補助器具である。